(57)【特許請求の範囲】
【請求項１】
帯電可能な遊技媒体を用いて遊技を行う遊技機であって、
遊技媒体を貯留する遊技媒体貯留部と、
前記遊技媒体を受ける受皿と、
前記遊技媒体貯留部と前記受皿とを連通する遊技媒体通路と、
前記遊技媒体貯留部および前記遊技媒体通路を接地するアース部と、
を備え、
前記遊技媒体貯留部と前記遊技媒体通路のそれぞれは、前記遊技媒体と接触する部位において、表面抵抗値が１０４〜１０６オームである導電性樹脂から形成されている、
遊技機。
【請求項２】
請求項１に記載の遊技機であって、
前記遊技媒体貯留部における前記導電性樹脂の前記表面抵抗値は、前記遊技媒体通路における前記導電性樹脂の前記表面抵抗値よりも小さく形成されている、
遊技機。
【請求項３】
請求項１または請求項２に記載の遊技機であって、
前記遊技媒体貯留部と前記遊技媒体通路とは、一体に形成されている、
遊技機。
【発明の詳細な説明】
【技術分野】
【０００１】
本発明は帯電可能な遊技媒体（例えば、パチンコ球等）を用いて遊技を行う遊技機に関し、詳しくは、遊技媒体に帯電した静電気を除去するための技術に関する。
【背景技術】
【０００２】
例えば、パチンコ機のような遊技機では、遊技者の遊技結果等に基づいて遊技媒体を貯留する貯留部から遊技媒体通路を介して受皿に遊技媒体を払出すようにしている。
かかる遊技機においては、遊技媒体が遊技媒体通路を移動する際等に、遊技媒体が壁面に衝突又は遊技媒体同士が衝突すること等により静電気が発生し、この静電気により遊技媒体が帯電する場合があった。
遊技媒体が帯電すると、これが原因で遊技機全体を制御する制御回路装置に誤動作が生じる場合があった。
このため、従来から遊技媒体に帯電した電荷を除去するための技術が開発されている。
この従来の技術では、遊技媒体通路の遊技媒体と直接接触する部位に導電性材料を配置し、遊技媒体に帯電した電荷がこの導電性材料に流れるようにして遊技媒体に帯電した静電気を除去するようになっていた。
【発明の概要】
【発明が解決しようとする課題】
【０００３】
しかしながら、上述した技術では遊技媒体で発生する静電気の量が多くり遊技媒体から導電性材料に流れる静電気の量が多くなると、導電性材料が電気的に飽和し遊技媒体から静電気を除去できなくなる場合があった。
【０００４】
本発明は上述した実情に鑑みなされたものであり、その目的は、遊技媒体から発生する静電気の量が多くなった場合においても、遊技媒体に帯電した静電気を除去することができる遊技機を提供する。
【課題を解決するための手段】
【０００５】
上記課題を解決するため請求項１に記載の遊技機は、帯電可能な遊技媒体を用いて遊技を行う遊技機であって、遊技媒体を貯留する遊技媒体貯留部と、該遊技媒体貯留部から払出される遊技媒体を受ける受皿と、前記遊技媒体貯留部と前記受皿とを連通する遊技媒体通路とを備え、前記遊技媒体貯留部及び／又は前記遊技媒体通路において遊技媒体と直接接触する部位の少なくとも一部に導電性部材が設けられるとともに、前記遊技媒体貯留部及び／又は前記遊技媒体通路の所定箇所には前記導電性部材の電気抵抗値よりも低い電気抵抗値を有する集電部材が設けられ、該集電部材及び前記導電性部材が遊技機に設けられたアース部に電気的に接続されている。
上記遊技機では、遊技媒体貯留部及び／又は遊技媒体通路において遊技媒体から導電性部材に流れた静電気は、集電部材を介してアース部に流される。
この際、集電部材の電気抵抗値が導電性部材のそれよりも低くされているため、導電性部材に流れた静電気が速やかに集電部材に流れることとなる。
したがって、遊技媒体から発生する静電気が多くなっても導電性部材が電気的に飽和し難くなり、遊技媒体から静電気を除去することができる。
【０００６】
また、適用例１に記載の遊技機においては、前記導電性部材及び集電部材が設けられる位置が、前記遊技媒体通路において遊技媒体が通路壁面から一旦離れて再接触する部位の近傍とされていることが好ましい（適用例２）。
このような構成によれば、遊技媒体が通路壁面から離れて再接触（衝突）する際に発生する静電気を、この部分に配した導電性部材及び集電部材を介して速やかにアース部に流すことができる。
【０００７】
また、適用例１に記載の遊技機においては、前記導電性部材及び集電部材が設けられる位置が、前記遊技媒体通路において、遊技媒体同士が離散、再接触する部位の近傍とされていることも好ましい（適用例３）。
このような構成によれば、遊技媒体同士が離散・再接触する際に発生する静電気を、この部分に配した導電性部材及び集電部材を介して速やかにアース部に流すことができる。
【０００８】
また、適用例１に記載の遊技機においては、前記遊技媒体貯留部には、遊技機とは別体の外部装置から遊技媒体が供給されるように構成されており、前記遊技媒体貯留部に設けられた導電性部材の電気抵抗値と、前記遊技媒体通路に設けられた導電性部材の電気抵抗値とが異なるように調整されていることが好ましい（適用例４）。
このような構成では、遊技媒体貯留部に貯留される遊技媒体には外部装置を原因とする静電気（いわゆる、外因性の静電気）が帯電し、逆に遊技媒体通路を移動する遊技媒体には遊技媒体が通路に衝突等することを原因とする静電気（いわゆる、内因性の静電気）が帯電することとなる。
したがって、両者において除去しなければならない静電気のエネルギレベルは相違するため、遊技媒体貯留部と遊技媒体通路の両者に設ける導電性部材の電気抵抗値も異なるように調整することが好ましい。
例えば、外因性の静電気のエネルギレベルが高くなる場合には、除去すべき静電気の量が多くなるため、遊技媒体貯留部に設けられる導電性部材の電気抵抗値を低くし静電気を速やかに除去することが好ましい。
逆に、内因性の静電気は、その発生原因からエネルギレベルが低いため、遊技媒体通路に設ける導電性部材の電気抵抗値を上げても構わない。
【０００９】
ところで、本発明者が幾多の実験を行ったところ、帯電した遊技媒体から静電気を除去する際に発生するスパイク状ノイズ（制御回路装置の誤動作の原因の一つ）の大きさには、遊技媒体と接触する導電性部材の電気抵抗値が大きく関与していることを見出した。
すなわち、導電性部材の電気抵抗値を種々変更（遊技媒体から導電性部材に流れる電流のピーク値を変更）したところ、制御回路装置で観測されるノイズが抑制できることが確認されたのである。
この理由は明らかではないが、遊技媒体と接触する導電性部材の電気抵抗値が小さすぎると瞬間的に大きな電流が流れるため大きなスパイク状ノイズが発生し、導電性部材の電気抵抗値を適度な値とすると遊技媒体から導電性部材に流れる電流のピークが抑制されスパイク状ノイズも抑制されるものと推察される。
このような知見に基づいて為された発明に係る遊技機は、帯電可能な遊技媒体を用いて遊技が行われる遊技機であって、遊技媒体を貯留する遊技媒体貯留部と、該遊技媒体貯留部から払出される遊技媒体を受ける受皿と、前記遊技媒体貯留部と前記受皿とを連通する遊技媒体通路とを備え、前記遊技媒体貯留部及び／又は前記遊技媒体通路において遊技媒体と直接接触する部位の少なくとも一部に導電性部材が設けられるとともに、その導電性部材の電気抵抗値が、帯電した遊技媒体から当該導電性部材に流れる電流のピーク値が所定の大きさとなるように調整されていることを特徴とする。
上記遊技機では、遊技媒体貯留部及び／又は遊技媒体通路において遊技媒体と直接接触する部位に設けられた導電性部材の電気抵抗値が調整されることで、帯電した遊技媒体からその導電性部材に流れる電流のピーク値が抑えられ、これにより、発生するスパイク状ノイズの大きさが抑制しつつ、遊技媒体に帯電した静電気を除去することができる。
なお、遊技媒体貯留部及び／又は遊技媒体通路に設けられる導電性部材としては、遊技媒体貯留部や遊技媒体通路とは別体として形成した部材を配設するようにしても良いし、遊技媒体貯留部及び／又は遊技媒体通路自体を導電性部材で直接形成するようにしても良い。
【００１０】
また、上述した発明（導電性部材の電気抵抗値を調整する発明）は、パチンコ機等の弾球遊技機に適用することができる。
すなわち、本発明を適用した弾球遊技機の一態様としては、遊技球を貯留する球貯留部と、該球貯留部に貯留された遊技球を遊技者に払出す払出装置と、該払出装置から払出された遊技球を受ける受皿と、前記球貯留部と前記払出装置とを連通する第１の球通路と、前記払出装置と前記受皿とを連通する第２の球通路とを備えた弾球遊技機であって、前記球貯留部、払出装置、第１の球通路、第２の球通路の少なくとも一部分が所定の電気抵抗値を有する導電性樹脂で形成され、前記払出装置、第１の球通路及び第２の球通路において、前記導電性樹脂よりも電気抵抗値の低い部材は、遊技球と直接接触する部位には配置されないことを特徴とする（適用例５）。
このような構成によれば、遊技球に帯電した静電気が流れる導電性樹脂で形成された部位が所定の電気抵抗値を備えるため、遊技媒体から導電性樹脂に流れる電流のピーク値が抑制される。
また、払出装置、第１の球通路及び第２の球通路においては、上記導電性樹脂よりも電気抵抗値が低い部材が遊技球と直接接触する部位には配されないため遊技球からこれらの部材側に流れる電流のピーク値が抑えられる。
したがって、誤動作の原因となる大きなスパイク状ノイズの発生を抑制することができる。
ここで、パチンコ機等の弾球遊技機の場合、前記導電性樹脂の電気抵抗値（表面抵抗値）は、１０４〜１０６オームの範囲とされていることが好ましい。
１０４オームより小さい場合には電流のピーク値が大きくなりすぎる場合があり、１０６オームより大きくなると、遊技球から静電気が流れにくくなりすぎて遊技球から静電気を充分に除去できないためである。
【００１１】
ここで、適用例５に記載の弾球遊技機においては、前記第１の球通路と前記第２の球通路の全体が導電性樹脂で形成されていることが好ましい（適用例６）。
このような構成によれば遊技球と導電性樹脂が接触している時間を長くすることができるため、導電性樹脂の電気抵抗値を上げても遊技球から静電気を充分に除去することができる。
また、導電性樹脂の電気抵抗値を上げることができるため、遊技球から導電性樹脂に流れる電流のピーク値をより低く抑えることができる。
【００１２】
また、適用例５に記載の弾球遊技機においては、前記球貯留部、前記払出装置、前記第１の球通路、前記第２の球通路の全体が導電性樹脂で形成されると共に、これらの所定部位に前記導電性樹脂よりも電気抵抗値が低い集電部材が設けられ、該集電部材が遊技機に設けられたアース部と電気的に接続されていることが好ましい。
このような構成によれば、導電性樹脂に流れた静電気を、集電部材を介してアース部に効率的に流すことができる。
この際、前記第１の球通路及び／又は前記第２の球通路の長さと電気抵抗値とが、所定の値に調整されていることが好ましい。
第１の球通路と第２の球通路の長さ及び電気抵抗値を調整することで、これらの通路で除去できる静電気の量を調整することができるためである。
すなわち、通路長を長くすると除去可能な静電気の量が多くなり、また、電気抵抗値を上げると除去可能な静電気の量が少なくなる。
したがって、これらの通路で除去する静電気の量（発生する静電気の量）に応じて、通路長及び電気抵抗値を調整すれば良い。
【００１３】
さらに、適用例５に記載の弾球遊技機において、前記球貯留部に、遊技機とは別体の外部装置から遊技球が供給されるように構成されている場合には、前記集電部材が、前記球貯留部と、これ以外の前記払出装置、第１の球通路、第２の球通路のいずれかに設けられており、前記球貯留部に設けられた集電部材とアース部との接続と、これ以外の集電部材とアース部との接続が電気的に分離されていることが好ましい。
このような構成においては、球貯留部では遊技球に外因性の静電気が帯電しており、それ以外の部分では遊技球に内因性の静電気が帯電する。
したがって、両者において除電される静電気のエネルギレベルが相違することとなるため、両者に配された集電部材とアース部との接続を電気的に分離することで、一方の集電部材からアース部に流れる電流が他方の集電部材とアース部とを接続する除電ラインに影響を与えることを防止することができる。
ここで、「電気的に分離する」には、アース部を完全に別に設ける場合のみならず、アース部と各集電部材の間に逆流防止部材（抵抗、アレスタ等）を設けて、一方の集電部材からアース部に流れた電流がアース部から他方の集電部材に流れることを防止するような場合をも含まれる。
なお、適用例５に記載の弾球遊技機においては、前記球貯留部に設けられる集電部材は、球貯留部の内壁に配設することが好ましい。
球貯留部の遊技球に帯電する外因性の静電気は、そのエネルギレベルが高いため速やかに除去することが好ましいためである。
ただし、球貯留部の導電性が高い場合（球貯留部が金属製となっている場合）等には、集電部材を球貯留部の内壁に配設するようにしても良い。
【発明を実施するための形態】
【００１４】
本発明をパチンコ機に具現化した一実施の形態を図１〜図９にしたがって説明する。
図１〜４に示すように、パチンコ機１は、外枠２、ベース枠１０及び表枠３０を主体として構成されている。
外枠２は、方形枠状に形成され、その前面の下部には、ベース枠１０の下端面を受ける下受板３が取り付けられている。
また、外枠２の前面の一側には、ベース枠用ヒンジ機構１００によってベース枠１０が開閉可能に組み付けられている。
このベース枠１０は、図１と図２に示すように、遊技盤１３の前面の略全体が露出する開口部を有する方形額縁状に形成されている。
ベース枠１０の裏面には、その開口部周縁に沿って支持枠体１１が設けられ、この支持枠体１１に遊技盤１３が着脱可能に嵌込まれている。
この遊技盤１３の裏面側には、その遊技盤１３に装着された各種の入賞装置、役物装置、表示装置等を制御する制御ボックス装置６が装着されている(図４参照)。
【００１５】
また、上記ベース枠１０の裏面側には、図１と図４に示すように、その支持枠体１１の片側の枠部１１ａにおいて、裏セット用ヒンジ機構１２０によって裏セット部材１６が開閉可能に組み付けられている。
この裏セット部材１６は、閉じた状態（図４に示す状態）においては、制御ボックス装置６を取り囲むように形成されている。
この裏セット部材１６の裏面側には、図４〜図６に示すように、その上部から下部に向けて球タンク７０、球誘導樋７１、上部払出樋７２、球払出装置７３、下部払出樋７４及び球排出樋７６が順次に連通して配設されている。
球タンク７０は、島設備から供給されるパチンコ球を一時的に貯留する機能を有し、球誘導樋７１及び上部払出樋７２は、球タンク７０に貯留するパチンコ球を球払出装置７３に誘導する機能を有する。
また、球払出装置７３は、パチンコ球が入賞装置に入賞した際には所定個数の賞球を払出し、一方、球抜き作業時には球タンク７０内に貯留されるパチンコ球が無くなるまで連続的にパチンコ球を排出する機能を有する。
また、下部払出樋７４は、賞球払出時には球払出装置７３から排出されたパチンコ球を球排出樋７６に導き、球抜き作業時には球払出装置７３から排出されたパチンコ球をパチンコ機１外に導く機能を有する。
そして、球排出樋７６は、下部払出樋７４から流下するパチンコ球を上皿９３又は下皿２１（図２と図３に図示）に導く機能を有する。
したがって、上述した球誘導樋７１、上部払出樋７２、球払出装置７３、下部払出樋７４及び球排出樋７６によって、球タンク７０と上皿９３又は下皿２１とを連通する球通路（請求項にいう遊技媒体通路に相当）が形成される（図６参照）。
なお、この球通路は、図４から明らかなように制御ボックス装置６を取囲むように設けられている。
【００１６】
ここで、本実施の形態においては、上述した裏セット部材１６、球タンク７０、球誘導樋７１、上部払出樋７２、球払出装置７３、下部払出樋７４及び球排出樋７６は導電性樹脂（炭素繊維入り樹脂）を一体成形することにより製作されており、その電気抵抗値は１０４〜１０６オームに調整されている。
各部分の電気抵抗値の具体的な決定方法は、例えば、所定の電圧（パルス電圧）を入力したときの各部材における電流波形のピークが所定の大きさとなるよう実験的に決定すればよく、また、あるいはパチンコ球を球タンク７０に供給しながら賞球払出動作を所定時間行い、そのときの制御ボックス装置６の信号伝送系のノイズを観測し、このノイズが問題のない程度に抑えられるように実験的に決定しても良い。
特に、制御ボックス装置６の信号伝送系のノイズを実際に観測しながら決定する方法は、実測したノイズ（誤動作の原因）に基づいて決定されるため、ノイズを確実に抑えることができる。
このため、本実施の形態では後者の方法で電気抵抗値を決定している。
また、球タンク７０、球誘導樋７１、球払出装置７３、下部払出樋７４及び球排出樋７６には、図５に示すように集電部材７０ａ、７１ａ、７３ａ、７４ａ、７６ａ、７６ｂ〔前記導電性樹脂よりも電気抵抗値の低い部材（典型的には、鉄板等の金属板）〕がそれぞれ配設される。
これらの集電部材７０ａ〜７６ｂは、図５及び図６から明らかなように、球タンク７０においては島設備からパチンコ球が補給される近辺の内壁（集電部材７０ａ）、球誘導樋７１においては球タンク７０の球排出口近辺の外壁（集電部材７１ａ）、球払出装置７３においてはパチンコ球がスプロケットや通路壁と衝突する近辺の外壁（集電部材７３ａ）、下部払出樋７４においては球払出装置７３から払出されたパチンコ球が通路壁に衝突して流れが変わる部位の外壁（集電部材７４ａ）、また、球排出樋７６においては上皿払出口９３ａ近辺の外壁（集電部材７６ａ）、下皿払出口２１ａ近辺の外壁（集電部材７６ｂ）に配設されている。
このように球タンク７０に配設される集電部材７０ａのみが球タンク７０の内壁に配設されるのは、島設備から球タンク７０に供給されるパチンコ球は高エネルギの静電気が帯電しており、この高エネルギの静電気を速やかに除去するためには集電部材７０ａを内壁に設けた方が好ましいためである。
また、球タンク７０に配設された集電部材７０ａは、図５に示すように導電線７０ｂにより電源ボックス装置２０１に直接接続され、また他の集電部材７１ａ、７３ａ、７４ａ、７６ａ、７６ｂはそれぞれ導電線７１ｂ、７３ｂ、７４ｂ、７６ｃによって裏セット部材１６の所定位置に固定されたヒンジ板１２２（図７、図８参照）に取付ネジ１２６により接続される。
なお、集電部材７０ａと電源ボックス装置２０１を接続する導電線７０ｂは、パチンコ機１の上方の外枠２側を通って配線される。
これは、導電線７０ｂと制御ボックス装置６との物理的な距離を離すことにより、導電線７０ｂに流れる電流によって制御ボックス装置６が誤動作することを防止するためである。
なお、上述した実施例においては、球タンク７０から排出されたパチンコ球から静電気（球タンク７０で除去できなかった静電気）を除去するため集電部材７１ａを球タンク７０の球排出口近辺の外壁に配したが、球タンク７０の静電気除去能力が高い場合等には、球誘導樋７１の払出装置７３側の通路（どの部位でも良い）に設けるようにしても良い。
このような構成によれば、集電部材７１ａとヒンジ板１２２の配線７１ｂが短くなり好ましく、また、球誘導樋７１内を流れる際にパチンコ球同士が衝突（離散・再接触）する際に発生する静電気を除去し易くなる。
【００１７】
また、前記ベース枠１０の支持枠体１１には、図１に示すように、裏セット部材１６を閉じた状態に保持するための複数の締付具１９が組み付けられている。
そして、支持枠体１１に遊技盤１３が嵌込まれ、次に、裏セット部材１６が閉じられ、その裏セット部材１６が複数の締付具１９によって閉じた状態に保持されると、ベース枠１０の支持枠体１１に遊技盤１３が固定されるようになっている。
また、これとは逆に、複数の締付具１９を外して裏セット部材１６を開いた状態とすると、ベース枠１０の裏面側からその支持枠体１１に対し遊技盤１３が着脱可能となる。
【００１８】
なお、図１に示すように、前記ベース枠１０の裏面の自由端側には、上下二つのベース枠施錠用フック１７が上下方向にスライド可能に組み付けられている。
このベース枠施錠用フック１７は、外枠２に対しベース枠１０が閉じられたときに、外枠２に設けられた係合部(図示しない)に係合し、これにより外枠２に対しベース枠１０が閉じた状態に施錠されるようになっている。
また、外枠２に対するベース枠１０の解錠は、図３に示すように、ベース枠１０の前面の自由端側下部寄りに配設された鍵穴２２に鍵を挿入し、その鍵を一方向に回動操作することで、ベース枠施錠用フック１７が下方にスライドして外枠２の係合部から外れ解錠されるようになっている。
【００１９】
また、前記ベース枠１０の前面下部には、図２と図３に示すように、パチンコ球発射用の発射ハンドル装置２０や下皿２１等が組み付けられ、また、図２に示すように、ベース枠１０の前面の一側には表枠用ヒンジ機構１４０によって表枠３０が開閉可能に組み付けられている。
この表枠３０は、表枠本体３１、補強部材３１ａ、ガラス枠３３等を備えている。
この表枠本体３１は合成樹脂材料よりなり、図２、図３に示すように、その略中央部に遊技盤１３の遊技領域１４を透視可能な略円形の開口窓３２が形成されている。
また、図３に示すように、表枠本体３１の前面には、その開口窓３２の周囲において凹凸の装飾が施された合成樹脂製の装飾部材５０が組み付けられ、その装飾部材５０には、光が出射されるレンズを備えた飾り窓５１が適宜に形成される他、遊技盤１３の盤面に貼り付けられた証紙を透視可能な窓５２が形成されている。
また、表枠本体３１と装飾部材５０との間の空間部には装飾部材５０の各レンズを照明するランプを備えたランプ基板（図示省略）が配設されている。
このような表枠本体３１の裏面に装着される補強部材３１ａは、表枠本体３１の裏面の略全域にわたる面積を有する鉄板等の導電性金属板よりなり、静電気の放電部材及び表枠本体３１を補強する機能を有する。
【００２０】
また、表枠３０に設けられるガラス枠３３は、図２に示すように、表枠本体３１の開口窓３２を透視可能に塞ぐ前後二枚の方形のガラス板２９を保持するためのもので、このガラス枠３３は、補強部材３１ａの裏面側に設けられている。
このガラス枠３３は、開口窓３２の下方において左右方向に延びる下枠部３４と、その下枠部３４の左右両端から上方に延びる左右の両側枠部３７とを備えて略U字枠状に形成されている。
また、上述したガラス枠３３は、鉄板等の導電性金属板よりなり、補強部材３１ａと一体または補強部材３１ａと別個に形成されかつ溶接によって一体状に固着されて電気的に導通可能となっている。
したがって、このガラス枠３３も静電気の放電部材として機能するようになっている。
【００２１】
なお、表枠本体３１と補強部材３１ａとの間の自由端側には、図１に示すように、上下及び中間の計三つの施錠用フック８０が上下方向にスライド可能に組み付けられられている。
そして、ベース枠１０に対し表枠３０が閉じられたときには、その施錠用フック８０がベース枠１０に形成された係合穴８１に係合し、これによって、ベース枠１０に対し表枠３０が閉じた状態に施錠されるようになっている。
また、ベース枠１０に対する表枠３０の解錠は、ベース枠１０の鍵穴２２に対し鍵を挿入し、その鍵を、前記外枠２に対するベース枠１０の解錠方向とは逆の方向に回動操作することで、施錠用フック８０が下方にスライドして係合穴８１から外れる。
これによって、ベース枠１０に対し表枠３０が解錠されるようになっている。
また、図２と図３に示すように、ベース枠１０の前面の一側には、前記表枠３０の下方に隣接しかつ図示しないヒンジ機構によって下板９０が開閉可能に組み付けられている。
この下板９０の裏面の自由端側には、ベース枠１０に対し下板９０を閉じた状態に係脱可能に保持する閉止爪９２を備えた係合金具９１が配設され、下板９０の前面には上皿９３が配設されている。
【００２２】
上述した裏セット部材１６と表枠３０の補強部材３１ａとは、図７と図８に示すように、裏セット部材１６と、ベース枠用ヒンジ機構１００、裏セット用ヒンジ機構１２０及び表枠用ヒンジ機構１４０を介して電気的に接続され、裏セット部材１６に帯電した静電気が補強部材３１ａにおいて放電できるようになっている。
具体的に説明すると、図７に示すように、ベース枠用ヒンジ機構１００の上側のヒンジ構成部品は、外枠２の上隅部に固定された隅金具として機能するヒンジ板１０１と、ベース枠１０の上部隅部に固定されたヒンジ板１０２と、これら両ヒンジ板１０１，１０２を回動可能に連結しているヒンジ軸１０３とを備えている。
この両ヒンジ板１０１、１０２及びヒンジ軸１０３は、導電性金属材によりそれぞれ形成されている。
また、ベース枠１０に固定のヒンジ板１０２は、断面略Ｌ字状をなし、その一辺１０２ａがベース枠１０の裏面に対し導電性金属材よりなる固定ピン１０４によって固定されている。
【００２３】
また、図７と図８に示すように、裏セット用ヒンジ機構１２０の上側のヒンジ構成部品は、ベース枠１０の裏面に設けられた支持枠体１１の枠部１１ａ裏面に固定されたヒンジ板１２１と、裏セット部材１６の所定位置に固定されたヒンジ板１２２と、これら両ヒンジ板１２１、１２２を回動可能に連結しているヒンジ軸１２３とを備えている。
この両ヒンジ板１２１、１２２及びヒンジ軸１２３は、導電性金属材によりそれぞれ形成されている。
また、支持枠体１１側のヒンジ板１２１は、断面略Ｌ字状をなし、その一辺１２１ａが枠部１１ａの裏面に対し導電性金属材よりなる取付ネジ１２５によって固定されている。
また、裏セット部材１６側のヒンジ板１２２は、導電性金属材よりなる取付ねじ１２６によって裏セット部材１６の所定位置に固定されている。
なお、このヒンジ板１２２には、前述した集電部材７１ａ、７３ａ、７４ａ、７６ａ、７６ｂが導電線７１ｂ、７３ｂ、７４ｂ、７６ｃによって接続されている。
【００２４】
また、図７と図２に示すように、表枠用ヒンジ機構１４０の上側のヒンジ構成部品は、表枠３０の補強部材３１ａの一側寄り上部に折り曲げ加工によって一体に形成された筒状の軸受け筒部１４１と、その軸受け筒部１４１の軸受け孔に上下動可能に支持されたヒンジ軸１４２と、ベース枠１０の前面上部に固定されかつ前記ヒンジ軸１４２が回動可能に嵌挿されるヒンジ板１４３とを備えている。
上記軸受け筒部１４１、ヒンジ板１４３及びヒンジ軸１４２は、導電性金属材によりそれぞれ形成されている。
上述したベース枠１０のヒンジ板１４３は断面略Ｌ字状をなし、その一辺１４３ａがベース枠１０の前面に対し、同ベース枠１０の裏面に固定されたヒンジ板１０２（ベース枠用ヒンジ機構１００）を固定する固定ピン１０４によって固定されている。
また、このヒンジ板１４３の他辺１４３ｂには、ヒンジ軸１４２が回動並びに上下動可能に嵌挿されるヒンジ孔が形成されている。
したがって、表枠３０の補強部材３１ａは、表枠用ヒンジ機構１４０における軸受け筒部１４１、ヒンジ軸１４２、ヒンジ板１４３及び固定ピン１０４を介してベース枠用ヒンジ機構１００のヒンジ板１０２に電気的に接続されるようになっている。
【００２５】
また、上記ヒンジ板１０２は、図７に示すように、導電接続部材１６０（金属製で弾性を有するワイヤよりなる）によって裏セット用ヒンジ機構１２０のヒンジ板１２１と電気的に接続される。
すなわち、図７と図８に示すように、導電接続部材１６０の一端部(上端部)はベース枠１０に固定のヒンジ板１０２に向けて延出し、この導電接続部材１６０の端部にはベース枠１０に固定されたヒンジ板１０２に弾性的に圧接する接続部１６１が略駒形状に屈曲されて形成されている。
一方、導電接続部材１６０の他端部(下端部)は支持枠体１１の片側の枠部１１ａに固定されたヒンジ板１２１に向けて延出し、この導電接続部材１６０の他端部には略直角状に折り曲げられた接続部１６２が形成される。
この接続部１６２は、ヒンジ板１２１を固定するために枠部１１ａの内面に架設されたボス部１５２の中心孔に嵌挿されかつその接続部１６２の先端が取付ネジ１２５の先端部に弾性的に圧接するようになっている。
したがって、ベース枠１０に固定のヒンジ板１０２と、枠部１１ａに固定のヒンジ板１２１とが電気的に接続され、これにより裏セット部材１６と表枠３０の補強部材３１ａとが電気的に接続されるようになっている。
なお、導電接続部材１６０は、その略中央部が巻回されて枠部１１ａの内面の所定位置に突設されたボス部１５０に取付ネジ１５１によって装着されている。
【００２６】
上述したように表枠３０の補強部材３１ａと電気的に接続されるヒンジ板１２２を固定する取付ネジ１２６は、また、図４に示すように、ベース枠１０の裏面側の所定位置に配置された電源ボックス装置２０１（電源基板２００を収納）と接続線２３１により接続される。
この電源ボックス装置２０１に収納される電源基板２００は、図９に示すように、電源から供給される交流(例えば２４ボルト)を入力して直流(例えば、５ボルト、１２ボルト等)に変換して出力する安定化電源回路２０２が設けられている。
この安定化電源回路２０２の直流出力は、制御ボックス装置６内に収容された制御基板３００等に供給される。
また、電源基板２００には、パチンコ機１の各部で発生した静電気を逃がすためのアース回路２１０が設けられている。
さらに、電源基板２００には、そのアース回路２１０の入力側において、複数、例えば、第１〜第３のアース入力端子２１５，２１６，２１７がそれぞれ配設されている。
これら第１〜第３のアース入力端子２１５，２１６，２１７とアース回路２１０との間には、アース回路２１０側から第１〜第３のアース入力端子２１５，２１６，２１７に向けて電気が逆流するのを防止するための逆流防止素子２２０，２２１，２２２がそれぞれ個別に配設されている。
また、上記アース回路２１０は、安定化電源回路２０２の直流出力の電源線２０７と逆流防止素子２１４を介して接続されている。
この逆流防止素子２１４は、アース回路２１０から電源線２０７側に電流が流れることを防止するためのものである。
なお、本実施の形態においては、上述した第１のアース入力端子２１５には、裏セット部材１６、裏セット部材１６に配された集電部材７１ａ，７３ａ，７４ａ，７６ａ，７６ｂ、及び補強部材３１ａが接続されている。
また、第２のアース入力端子２１６には発射ハンドル装置２０が接続され、第３のアース入力端子２１７には球タンク７０に配設した集電部材７０ａが接続される。
【００２７】
また、電源基板２００には、アース回路２１０の出力側においては、１つのアース出力端子２０４が配設されている。
このアース出力端子２０４にはアース線２０３が接続されて接地されている。
なお、電源基板２００のアース回路２１０は、必要に応じて逆流防止素子２０８を介して交流入力の電源線２０８に接続されてもよい。
また、アース回路２１０においても、必要に応じて電源基板２００の基板アースに対し逆流防止素子２１２を介して接続されてもよい。
なお、電流の逆流を防止する逆流防止素子２０８，２１２，２２０，２２１，２２２としては、例えば、抵抗器、ダイオード、アレスタ等が用いられる。
【００２８】
上述のように構成されるパチンコ機１において、パチンコ球（遊技媒体）に帯電した静電気は、以下に説明するようにして除去される。
すなわち、電源基板２００のアース出力端子２０４がアース線２０３によって接地されている場合においては、裏セット部材１６の球誘導樋７１、上部払出樋７２、球払出装置７３、下部払出樋７４、球排出樋７６等の通路（制御ボックス装置６の周囲を取囲むように形成される通路）を流れるパチンコ球の摩擦等によって発生しパチンコ球に帯電した静電気（内因性の静電気）は、パチンコ球から導電性樹脂で成形された裏セット部材１６に流れる。
裏セット部材１６に流れた静電気は、裏セット部材１６から直接、又は裏セット部材１６に配設された集電部材７１ａ，７３ａ，７４ａ，７６ａ，７６ｂ及び導電線７１ｂ，７３ｂ，７４ｂ，７６ｃを介して取付ネジ１２６に流れ、取付ネジ１２６から接続線２３１を介して第１のアース入力端子２１５に流れる。
そして、第１のアース入力端子２１５に流れた静電気は、逆流防止素子２２０を経てアース回路２１０に流れ、アース出力端子２０４を経てアース線２０３に流れる。
ここで、球誘導樋７１、上部払出樋７２、球払出装置７３、下部払出樋７４、及び球排出樋７６は、電気抵抗値が所定の値となるように調整されているため、パチンコ球からこれらの部材に流れる電流のピーク値が低く抑えられる。
また、これらの部材の所定箇所（パチンコ球が衝突する壁面近傍：静電気が発生しやすい部位）には集電部材７１ｂ〜７６ｃが設けられ、これらの壁面から静電気を除去しやすくしている。
これらの理由のため、パチンコ球や裏セット部材１６に帯電した静電気によってスパイク状ノイズが発生することが防止され、これにより制御ボックス装置６等の電子部品等が誤動作される不具合を防止することができる。
【００２９】
また、発射ハンドル装置２０において発生した静電気（遊技者から流れる静電気：いわゆる外因性の静電気の一種）は、電気的接続手段２４０、第２のアース入力端子２１６、逆流防止素子２２１、アース回路２１０、及びアース出力端子２０４を経てアース線２０３に流れる。
また、球タンク７０において発生した静電気（島設備から供給されるパチンコ球に帯電した静電気：いわゆる外因性の静電気の一種）は、その一部分が集電部材７０ａに集電され、電気的接続手段２４１（導電線７０ｂ）、第３のアース入力端子２１７、逆流防止素子２２２、アース回路２１０、及びアース出力端子２０４を経てアース線２０３に流れる。
このため、発射ハンドル装置２０や球タンク７０において発生した静電気（外因性の静電気）は、上述した内因性の静電気とは別経路により速やかに除去され、ノイズの発生が防止される。
また、これらのノイズ除去経路は、内因性のノイズ除去経路と電気的に分離しているため、これらが相互に影響（アース回路２１０に流れた電流が逆流）することはない。
【００３０】
一方、電源基板２００のアース回路２１０のアース出力端子２０４がアース線２０３によって接地されていない場合には、パチンコ球に帯電した静電気は裏セット部材１６に流れ、裏セット用ヒンジ機構１２０のヒンジ板１２２、ヒンジ軸１２３及びヒンジ板１２１を経て導電接続部材１６０に流れる。
その後、静電気はベース枠用ヒンジ機構１００のヒンジ板１０２及び固定ピン１０４を経て表枠用ヒンジ機構１４０のヒンジ板１４３、ヒンジ軸１４２及び軸受け筒部１４１を経て表枠３０の補強部材３１ａに流れる。
なお、パチンコ球から球タンク７０に流れた静電気も、直接裏セット部材１６等から裏セット用ヒンジ機構１２０に流れ、同様にして表枠３０の補強部材３１ａに流れる。
ここで、補強部材３１ａは、鉄板等の導電性金属板よりなり、表枠３０の略全域にわたる大きい表面積を有している。
このため、補強部材３１ａに流れた静電気は補強部材３１ａの大きい表面積において良好に放電される。
このようにして裏セット部材１６に帯電した静電気を補強部材３１ａにおいて放電することができるため、電源基板２００のアース出力端子２０４がアース線２０３によって接地されていない場合においても、パチンコ球から良好に静電気を除去することができる。
この際においても、パチンコ球から裏セット部材１６に流れる電流のピーク値が低く抑えられるようその電気抵抗値が調整されているため、大きなスパイク状ノイズが発生することが防止される。
【００３１】
また、電源基板２００のアース回路２１０が逆流防止素子２０８を介して交流入力の電源線２０８に接続されている場合においては、裏セット部材１６に流れた静電気の一部が、裏セット用ヒンジ機構１２０、接続線２３１、第１のアース入力端子２１５、逆流防止素子２２０を経てアース回路２１０に流れ、その後、逆流防止素子２０８を介して交流入力の電源線２０６に流れる。
このため、裏セット部材１６に流れた静電気を速やかに除去することができ、制御ボックス装置６等の電子部品等が誤動作される不具合を一層確実に防止することができる。
【００３２】
また、アース回路２１０が電源基板２００の基板アースに対し逆流防止素子２１２を介して接続されている場合においては、裏セット部材１６に流れた静電気の一部が、裏セツト用ヒンジ機構１２０、接続線２３１、第１のアース入力端子２１５、逆流防止素子２２０を経てアース回路２１０に流れ、その後、逆流防止素子２１２を介して基板アースに流れる。
このため、裏セット部材１６に帯電した静電気を速やかに除去でき、これにより制御ボックス装置６等の電子部品等が誤動作される不具合をより一層確実に防止することができる。
なお、図９の二点鎖線に示すように、発射ハンドル装置２０を放電部材としての補強部材３１ａに電気的に接続することによって、アース出力端子２０４がアース線２０３によって接地されていない場合においても、発射ハンドル装置２０において発生した静電気が放電部材において放電される。
【００３３】
以上、本発明の好適な一実施の形態について説明したが、本発明は上述した実施の形態に限られることなく、当業者の知識に基づいて種々の変更、改良を施した形態で実施することができる。
【００３４】
例えば、上述した実施の形態では、導電性樹脂により裏セット部材１６を一体成形したがこのような形態に限られず、例えば、金属等の導電体で裏セット部材１６を形成し、裏セット部材１６の遊技媒体と接触する接触面に所定の電気抵抗を有する部材を配するようにしても良い。
【００３５】
また、上述した実施の形態は本発明をパチンコ機に適用した例であったが、本発明はこの他にも、例えば、アレンジボール機（一定数の鋼球を遊技盤上に射出して所定の当たり状態を成立させるもの）、スロットマシン、雀球遊技機、パチスロ機等の各種遊技機にも適用することができる。
【図面の簡単な説明】
【００３６】
【図１】本実施の形態に係るパチンコ機の外枠に対してベース枠が開かれた状態を示す斜視図。
【図２】同じく外枠に対しベース枠が開かれ、そのベース枠に対し表枠が開かれた状態を示す斜視図。
【図３】同じくパチンコ機の全体を示す正面図。
【図４】同じくパチンコ機の全体を示す背面図。
【図５】裏セット部材に配された集電部材の電気的な接続を説明するための斜視図。
【図６】パチンコ機の背面に設けられる球通路を説明するための図。
【図７】裏セット部材と表枠の補強部材との電気的接続構造を説明するための図。
【図８】裏セット部材と表枠の補強部材との電気的接続構造を説明するための図。
【図９】電源基板に設けられたアース回路の構成を説明するための図。
【符号の説明】
【００３７】
１  ・・パチンコ機
２  ・・外枠
１０・・ベース枠
１１・・支持枠体
１３・・遊技盤
１６・・裏セット部材
３０・・表枠
３１ａ・補強部材
７０・・球タンク
７１・・球誘導樋
７２・・上部払出樋
７３・・球払出装置
７４・・下部払出樋
７６・・球排出樋
【図１】
0004590577.tif 000002
【図２】
0004590577.tif 000003
【図３】
0004590577.tif 000004
【図４】
0004590577.tif 000005
【図５】
0004590577.tif 000006
【図６】
0004590577.tif 000007
【図７】
0004590577.tif 000008
【図８】
0004590577.tif 000009
【図９】
0004590577.tif 000010